(57)【特許請求の範囲】
【請求項１】
猫等の小動物を頭部が露出した状態で収容することができるとともに、小動物の背中に沿った部分を開閉できる袋状の保定用具であって、頭部を露出させる開口の近傍において、前記袋状の保定用具の内側で小動物の首に直接巻き付けられる内留め具が設けられている小動物用保定用具において、
上記開口の内側部分の下縁部から上記の内留め具にかけて、小動物の前肢が前方に出るのを防止する仕切り片が設けられていることを特徴とする小動物用保定用具。
【請求項２】
上記の内留め具が、長さ調節可能であるとともに、１回の操作で小動物の首周りに装着可能であることを特徴とする請求項１に記載の小動物用保定用具。
【請求項３】
上記した小動物の背中に沿った部分が、３個のスライダを備えたスライドファスナで開閉可能にされていることを特徴とする請求項１または２に記載の小動物用保定用具。
【請求項４】
上記小動物の背中に沿った部分の、上記開口側の端部に、リード紐を外部に出すための隙間があることを特徴とする請求項１〜３のいずれかに記載の小動物用保定用具。
【請求項５】
上記開口の周囲に、ネッカーが取り付けられていることを特徴とする請求項１〜４のいずれかに記載の小動物用保定用具。
【請求項６】
上記小動物の前肢、後肢および下腹部をそれぞれ露出可能に開閉できることを特徴とする請求項１〜５のいずれかに記載の小動物用保定用具。
【請求項７】
上記小動物の胴体部分を外側から締め付ける背部ベルトが、前後方向に位置調節可能に取付けられていることを特徴とする請求項１〜６のいずれかに記載の小動物用保定用具。
【発明の詳細な説明】
【技術分野】
【０００１】
本発明は、小動物を安定的に保定するための袋状の保定用具に関する。
【背景技術】
【０００２】
猫等の小動物を自宅でケアし、もしくは動物病院で治療等する際、小動物を安定的に保定（動かないように保つ）することが必要になる。そのための保定用具として、たとえば下記の特許文献１に記載されているものがある。
【０００３】
特許文献１に記載の保定用具（動物収容具）は、袋状の胴体収容部と、胴体収容部に連通する円錐台形状の頭部収容部とを有する。胴体収容部の上部に、収納及び部位露出兼用ファスナを備えている。さらに、胴体収容部と頭部収容部との接合部分の外側に紐が取り付けられていて、この紐によって動物の首を拘束する。また、胴体収容部の側部や底部にも、各部位（前足・後足・腹部等）の露出用ファスナが設けられている。
【先行技術文献】
【特許文献】
【０００４】
【特許文献１】特開２００２−８５４３３号公報
【発明の概要】
【発明が解決しようとする課題】
【０００５】
上記特許文献１に記載された動物収容具では、上記の紐で動物を拘束するが、その紐は収容具の外側に巻き付けるものである。そのため、動物の首に対し十分に密には巻き付けがたく、したがって首と収容具との間に隙間ができやすい。首の回りに隙間ができると、動物は、首を内側に引っ込めてしまったり、前肢を前に出したり、あるいは胴体ごと抜き出て逃げ出したりしがちである。首の回りに隙間ができないよう、首の太さに応じて紐の締め具合を調節しようとすると、動物の動きが激しくて紐の装着作業にずいぶん時間がかかることもある。
【０００６】
また、治療等の際に動物の背中を露出させるためには、収納及び部位露出兼用ファスナを前方から半分以上開かねばならず、動物を安定的に保定することが困難になる。
【０００７】
本発明は、以上の点などを考慮したもので、小動物に無理な負担をかけずに安全で簡単に装着でき、しかも小動物が抜け出すことを防ぎ、小動物とケアする側との双方が安心して安定した状態を維持しながら保定できる小動物用保定用具を提供することを目的としている。
【課題を解決するための手段】
【０００８】
発明に係る小動物用保定用具は、猫や犬等の小動物を頭部が露出した状態で収容することができるとともに、小動物の背中に沿った部分を開閉できる袋状の保定用具であって、頭部を露出させる開口の近傍に、小動物の首に直接巻き付けられる内留め具が設けられていることを特徴とする。
【０００９】
このような保定用具によれば、収容した小動物が、袋状の保定用具で全身（頭部以外）を包まれることにより安心できるようになる。また、開口付近に設けられた内留め具が、保定用具の布等を介することなく直接首に巻き付けられて小動物を拘束するため、収容した小動物が上記開口から保定用具の内側へ頭部を引っ込めたり、胴体ごと外側へ抜け出したりすることを確実に防止できる。したがって、自宅でのケアや病院での治療の際に、安定的に小動物を保定することができる。
【００１０】
上記の内留め具は、長さ調節が可能であるとともに、１回の操作で小動物の首周りに装着が可能であることが好ましい。
【００１１】
このような保定用具であれば、収容しようとする小動物の首の太さに合わせて内留め具の長さを装着前に調節しておくことができる。すなわち、小動物の首をきつく絞めすぎたり、逆に緩すぎて前肢等が内留め具から出てしまったり、頭部が内留め具からすり抜けたりすることを防止できる。さらに、内留め具は、たとえば一対の継手片を差込式で連結する等の１回の操作で小動物の首周りに装着できるため、小動物を素早く、逃げないうちに拘束することができる。したがって、小動物を、無理な負担をかけず速やかに拘束して保定用具に収容することができる。
【００１２】
発明による小動物用保定用具には、さらに、上記開口に近い内側部分の下縁部から上記の内留め具にかけて、小動物の前肢が前方に出るのを防止する仕切り片が設けられているとよい（図２・図５を参照）。
【００１３】
このような保定用具であれば、首周りを内留め具に拘束されて収容された小動物は、内留め具の下方に上記の仕切り片があるため、開口から前方へ前肢を出すことができない。前記のとおり内留め具は直接に小動物に接触して首を密に拘束するので、内留め具の内側から前肢を前に出すことも不可能である。したがって、開口より前には頭部が露出するのみであり、前肢が出ることはないため、ケアする側が小動物から前肢で引っ掻かれたり前肢の動きで作業を妨げられたりすることが避けられる。
【００１４】
発明の小動物用保定用具は、猫等の小動物を頭部が露出した状態で収容することができるとともに、小動物の背中に沿った部分を開閉できる袋状の保定用具であって、上記した小動物の背中に沿った部分が、３個のスライダを備えたスライドファスナで開閉可能にされているとよい。３個のうちいずれか２個のスライダの間で上記ファスナが開くようになっているのが望ましいのである。
【００１５】
このような保定用具であれば、背部に輸液注射などをする際、小動物を十分に保定した状態のまま、その部分のみを露出させることができる（図７参照）。スライダを２個有するスライドファスナ（以下、単にファスナという）の場合には、ファスナの両側を別々に開くことができるだけであるが、スライダが３個あれば、ファスナの途中部分（３個のうちいずれか２個のスライダの間）のみを開くことも可能だからである。
【００１６】
たとえば図１・図７のように、開口(２ａ)に近い側からスライダＳ１、スライダＳ２、スライダＳ３とする。スライダＳ１とスライダＳ３は開口に向けて移動させるとファスナが閉じ、開口から離れるように移動させるとファスナが開くように設けている。それとは反対にスライダＳ２は、開口に向けて移動させるとファスナが開き、開口から離れるように移動させるとファスナが閉じるように設けている。図４のように３個のスライダＳ１・Ｓ２・Ｓ３すべて、または図示しないがスライダＳ３のみを開口とは反対側の端部に移動させると、ファスナが全開になる。図１のようにスライダＳ１のみ、または図示しないがスライダＳ１・Ｓ２・Ｓ３のすべてを開口側端部に移動させると、ファスナをその全長にわたって閉じることができる。
【００１７】
図の例でファスナは、スライダＳ１とスライダＳ２の間では閉じていてスライダＳ２とスライダＳ３の間では開いているため、スライダＳ２とスライダＳ３を適当な間隔だけ離すと、その間の部分でファスナを開くことができる（図７参照）。従来の保定用具では、背中付近を露出させたい場合などには半分以上ファスナを開かねばならず、小動物を安定した状態で保定できないこともあったが、この保定用具では３個のスライダＳ１・Ｓ２・Ｓ３をそれぞれ適当な位置に移動させることにより、希望する部分で、ファスナを最小限開くことが可能になるので、ケアや治療が行われている最中でも安定して小動物を保定できる。
【００１８】
上記小動物の背中に沿った部分の、上記開口側の端部に、リード紐を外部に出すための隙間があるとよい。
【００１９】
このような保定用具であれば、図８のようにリード紐を小動物（猫Ａ）の首輪に取り付けた状態で内留め具を小動物の首に装着し、そのままファスナ３を閉めて、図９のようにリード紐を保定用具から引き出すことができる。すなわち、内留め具を小動物の首周りに装着する際、リード紐で小動物を一定の範囲内に拘束できるので、保定用具への収容作業が容易になる。また、保定中もリード紐を付けたままにできるので、ケアや治療中や保定用具から出すときなどに小動物が逃げ出すのを防止できる。
【００２０】
上記開口の周囲に、ネッカーが取り付けられているとさらに好ましい。ここでいうネッカーとは、保護用カラーとも言われる円錐台状の保護具のことである。動物が傷のある部分をなめたり頭部を爪で引っ掻いたりするのを防止する目的で、動物の首周りに装着される。
【００２１】
このような保定用具であれば、保定の際に小動物がケアする側へ噛み付こうとしても、ネッカーが存在するため、安全にケアや治療を行える。また、保定される小動物の顔周りをネッカーで囲むことで、小動物に安心感を与えることができるため、小動物をより安定した状態で保定できる。
【００２２】
さらに、上記小動物の前肢、後肢および下腹部に近い部分がそれぞれ開閉可能になっているのも好ましい。このような保定用具であれば、小動物の前肢、後肢および下腹部を必要に応じて容易に露出させられるので、ケアや治療がスムーズに行える。
【００２３】
上記小動物の胴体部分を外側から締め付ける背部ベルトが、前後方向に位置調節可能に取付けられているとさらによい。小動物が子猫のように小さい場合でも、前後方向に背部ベルトを移動させることにより、確実に背部ベルトを胴体の位置に巻き付けることができ、安定して小動物を保定できるからである。たとえば、背部ベルトを前後方向に移動させることのできるサイズのループを保定用具に固定しておき、そのループに背部ベルトを通すことが考えられる。
【発明の効果】
【００２４】
発明の小動物用保定用具によれば、小動物をケアしたり治療したりする際、小動物の首周りを内留め具によってしっかりと拘束できるので、小動物が前方へ前肢を出したり胴体ごと抜け出したりすることを確実に防止できる。内留め具の素早い装着を実現することもできる。
小動物の背中に沿って設けられるファスナが３個のスライダを備えるようにすると、背中の一部分を露出させるときでも安定的に保定した姿勢を維持することができる。
ネッカーが顔周りを囲むことで、小動物に安心感を与えるとともに、ケアする側も安全にケアや治療を行うことができる。
【図面の簡単な説明】
【００２５】
【図１】発明による小動物用保定用具の一実施形態を示す図で、保定用具１の平面図である。
【図２】保定用具１の側面図である。
【図３】保定用具１の底面図である。
【図４】保定用具１のファスナ３を開いた状態を示す平面図である。
【図５】閉めた状態の内留め具７を、ファスナ３を開いた状態で後方から見た概略図である。
【図６】開いた状態の内留め具７を、ファスナ３を開いた状態で前方から見た概略図である。
【図７】ファスナ３の途中を開けた状態を示す平面図である。
【図８】猫Ａに内留め具７を装着した状態を示す部分的な平面図である。
【図９】猫Ａにリード紐Ｃを取り付けたまま保定用具１に収容した状態を示す部分的な平面図である。
【発明を実施するための形態】
【００２６】
以下、発明による小動物用保定用具の一実施形態を、図面に基づいて説明する。
【００２７】
小動物用保定用具１は、図１および図２に示すように、袋状本体２とネッカー４とを有する。袋状本体２は前方に開口２ａを有し、小動物の頭部を開口２ａから露出させて、頭部以外の全身を収容することができる。ネッカー４は、開口２ａから露出させた小動物の顔周りを覆うためのもので、開口２ａに縫い付けられている。なお、ここで「前」は小動物の頭部側を、「後」は尻部側をいう。
【００２８】
袋状本体２は、厚手の綿生地を用いて、図２に示すように底部２ｂと前面部２ｃとを備えた立体的な、高さのある形状に形成している。袋状本体２は、立体的で高さがあるので、尻部に筋肉注射や検温等を行う際にも形が崩れず、扱いやすい。また、立体的であるので外観にもすぐれている。
【００２９】
袋状本体２は、図１のように小動物の背中に沿った上部に、３個のスライダＳ１・Ｓ２・Ｓ３で開閉可能なスライドファスナ（以下、単にファスナという）３を備えている。ファスナ３の内側には、小動物の毛などを挟まないよう、巻込み防止片２ｄ（図４）を縫い付けている。また、図３のように底部２ｂの前寄りに、左右に間隔をあけて配置された２本の前部ファスナ３１を備え、さらに、底部２ｂの後ろ寄り中央付近に１本の後部ファスナ３２を備えている。小動物を収容する際は、上部のファスナ３を図４のように開く。また、底部２ｂの前部ファスナ３１を開くと、小動物の前肢を露出させることができ、後部ファスナ３２を開くと、後肢・下腹部等を露出させることができる。
【００３０】
さらに袋状本体２は、図１〜図４に示すように、長手方向の中ほどにおいて周方向に回し掛けてループ１８（図３）に通した背部ベルト８を備えるとともに、最後部に、指を掛けられる環状の引っ張り紐９を備えている。ループ１８は袋状本体２の底部２ｂに縫い付けられていて、背部ベルト８の幅より大きい輪を形成している。背部ベルト８は、小動物の個体に合わせてサイズ調節が可能で、さらに、ループ１８の範囲内において前後の位置も調節できる。したがって、小動物が袋状本体２に収容された状態で確実に胴体周りを締めることが可能で、小動物と袋状本体２との一体性を強めることができる。
【００３１】
環状の引っ張り紐９は、環の部分に指を引っ掛けることができるので、ファスナ３のスライダＳ１・Ｓ２・Ｓ３を開口２ａ方向に移動させる操作をスムーズに行え、ファスナを素早く開閉することができる。前部ファスナ３１や後部ファスナ３２についても、引っ張り紐９に指を引っ掛けると開閉操作が容易になる。
【００３２】
ネッカー４は、袋状本体２と同様に厚手の綿生地を用い、開口２ａから離れるにつれて次第に広がる円錐台形状に形成している。布地を素材としているので、小動物の顔周りへの当たりがソフトであるうえ、たとえば図７に示すように、必要がない時は邪魔にならないよう袋状本体２側に折り返しておくことができる。
【００３３】
袋状本体２は、図４に示すように、開口２ａに沿って帯状の外留め具５を備えている。外留め具５は、環状にして両端部に設けた一対の面ファスナ５ａを重ね合わせることによって、開口２ａを小動物の首周りで閉じることができる。
【００３４】
図２および図４〜図６に示すように、袋状本体２の開口２ａに近い内側部分には、小動物の首周りに直に装着する帯状の内留め具７を備えている。そして、開口２ａの内側の下縁部分から内留め具の下縁部までを仕切り片６でつないでいる。仕切り片６も、袋状本体２やネッカー４と同様、厚手の綿生地を用いて、袋状本体２の底部２ｂや前面部２ｃとは別に形成している。
【００３５】
内留め具７は、図５・図６に示すように、一方の端部を折り返すことで長さを調節できるベルト７ａの両端部に、ワンタッチ（１回の操作）で着脱できる１対の留め具７ｂを備えている。したがって、あらかじめベルト７ａの長さを小動物の首周りに合わせて調節しておけば、ワンタッチで素早く内留め具７を小動物の首周りに装着することができる。ベルト７ａの長さが調節ずみなので、小動物の首をきつく絞めすぎたり、逆に緩すぎて、前肢が内留め具から抜け出したり、頭部が内留め具からすり抜けたりすることがない。
【００３６】
袋状本体２に収容された小動物は、前肢が、袋状本体２の底部２ｂと前面部２ｃと仕切り片６とによって囲まれた空間に置かれることになる（図２参照）。小動物は、内留め具７にて首周りを拘束されるうえ、仕切り片６や前面部２ｃがあるために、開口２ａの前方へ前肢を出すことが不可能である。したがって、ケアする側が前肢で引っ掻かれたり作業を妨げられたりすることが防止される。小動物が胴体ごと前方へ抜け出ることも、もちろん不可能である。
【００３７】
上記したとおり、袋状本体２のファスナ３は、３個のスライダＳ１・Ｓ２・Ｓ３（図１・図７）を備えている。スライダＳ１・Ｓ３は開口２ａに向けて移動させるとファスナ３が閉じ、開口２ａから離れるように移動させるとファスナ３が開くように設けられている。それとは反対にスライダＳ２は、開口２ａに向けて移動させるとファスナ３が開き、開口２ａから離れるように移動させるとファスナ３が閉じるように設けられている。図１に示すようにスライダＳ１のみを開口２ａ側に移動させると、ファスナ３をその全長にわたって閉じることができる。図示しないが、３個のスライダＳ１・Ｓ２・Ｓ３すべてを開口２ａ側端部に移動させた場合も、ファスナ３をその全長にわたって閉じることができる。また、図４に示すように、３個のスライダＳ１・Ｓ２・Ｓ３すべてを開口２ａとは反対側の端部に移動させると、ファスナ３が全開になる。図示しないが、スライダＳ３のみを開口２ａとは反対側の端部に移動させたときにもファスナ３が全開になるが、この場合には開口２ａ付近は閉じた状態である。
【００３８】
ファスナ３は、スライダＳ１とスライダＳ２の間では閉じていて、スライダＳ２とスライダＳ３の間では開くことになるため、たとえば図７のようにスライダＳ２とスライダＳ３を適当な間隔だけ離すと、その間の部分だけでファスナ３を開くことができる。従来の保定用具では、背中付近を露出させたい場合などには半分以上ファスナを開かねばならず、小動物を安定した状態で保定できないこともあったが、図示の保定用具１では３個のスライダＳ１・Ｓ２・Ｓ３をそれぞれ適当な位置に移動させることにより、希望する部分で、ファスナ３を最小限開くことが可能になるので、ケアや治療が行われている最中でも安定して小動物を保定できる。
【００３９】
また、最も開口２ａ寄りにあるスライダＳ１は、開口２ａとの間に、リード紐が出せる隙間３ａが残るように設けられている（図１・図７参照）。したがって、図８・図９のように、小動物（猫Ａ）に首輪Ｂとリード紐Ｃをつけたまま保定用具１に収容した場合、リード紐Ｃを隙間３ａから出すことができる。すなわち、小動物に内留め具７を装着するとき、リード紐Ｃの範囲に小動物を拘束できるので、作業が容易になる。
【００４０】
以上に述べた小動物用保定用具１は、厚手の綿生地を用いて形成しているが、材料はこれに限られるものではなく、当たりがソフトで、立体的な高さが維持できるものであれば何でもよく、例えばナイロン布地のようなものも考えられる。外留め具や内留め具も、同様の機能を有するものであれば上記したものに限らない。
【００４１】
以下、本発明による小動物用保定用具１の使用方法について説明する。
1)  内留め具７（図４等）のベルト７ａの長さを、小動物の首周りに合わせてあらかじめ調節しておく。
2)  すべてのスライダＳ１・Ｓ２・Ｓ３を後部の引っ張り紐９側に移動させてファスナ３を全開にするとともに、外留め具５を開いておく（図４）。
3)  小動物の首周りに、内留め具７を装着して、頭部を開口２ａから露出させた状態で小動物を袋状本体２に収容する。このとき、首輪Ｂとリード紐Ｃとはつけたままでよい（図８）。
4)  さらに、外留め具５を首周りに合わせて閉じ、スライダＳ１またはすべてのスライダＳ１・Ｓ２・Ｓ３を開口２ａ側に移動してファスナ３を閉じる（図９）。このとき、後部の引っ張り紐９に指を掛けると、スライダＳ１・Ｓ２・Ｓ３の操作がスムーズに行える。これにより、ネッカー４が小動物の顔周りを覆うので、小動物に安心感を与えることができる。
5)  リード紐Ｃがついていれば、リード紐Ｃを隙間３ａから出す。
6)  背部ベルト８（図１・図２）を、小動物のサイズと胴体の位置に合わせながら締める。サイズはあらかじめ個体に合わせておいてもよい。これで、小動物を安定的に保定できる。
7)  小動物の背中側にケアや治療が必要な場合、３個のスライダＳ１・Ｓ２・Ｓ３の位置を適当に移動させて、小動物の背中の必要な部位だけを露出させるようファスナ３を開く（たとえば図７）。前肢を露出させたいときは底部２ｂの前部ファスナ３１（図３）を開き、後肢・下腹部等を露出させたいときは、後部ファスナ３２を開く。
【００４２】
以上説明したとおり、発明の小動物用保定用具によれば、小動物に無理な負担をかけずに安全で簡単に装着しつつ、かつ容易に抜け出すことを防ぎ、小動物とケアする側との双方が安心して安定した状態を維持しながら保定できる。
【符号の説明】
【００４３】
１  小動物用保定用具
２  袋状本体
２ａ  開口
２ｂ  底部
２ｃ  前面部
２ｄ  巻込み防止片
３  ファスナ
３ａ  隙間
４  ネッカー
５  外留め具
５ａ  面ファスナ
６  仕切り片
７  内留め具
７ａ  ベルト
７ｂ  留め具
８  背部ベルト
９  引っ張り紐
１８  ループ
３１  前部ファスナ
３２  後部ファスナ
Ｓ１・Ｓ２・Ｓ３  スライダ
Ａ  猫
Ｂ  首輪
Ｃ  リード紐
【図１】
0006603052.tif 000002
【図２】
0006603052.tif 000003
【図３】
0006603052.tif 000004
【図４】
0006603052.tif 000005
【図５】
0006603052.tif 000006
【図６】
0006603052.tif 000007
【図７】
0006603052.tif 000008
【図８】
0006603052.tif 000009
【図９】
0006603052.tif 000010